(57)【要約】      （修正有）【課題】エレベータ用操作盤を乗場の壁に取り付ける際に、フェースプレートをケースから取り外し、分離することなく、かつフェースプレートの疵、破損の発生を低減させることができるエレベータ用操作盤を提供する。【解決手段】このエレベータ用操作盤は、ケース３と、側面が摺動自在にケース３の側面と係合したフェースプレート４と、一片部がケース３の両端部に固定され、他片部がフェースプレート４側に突出し、移動したフェースプレート４の端部と当接する断面Ｌ形状の取付座７と、ケース３を壁１に固定するためのケース用締結具と、フェースプレート４をケース３に取り付けるフェースプレート用締結具５と、を備えている。【選択図】図３
2015189518.tif 000002
【特許請求の範囲】
【請求項１】
裏面が壁に固定される矩形状のケースと、
このケースの表面を覆い、側面が摺動自在に前記ケースの側面と係合したフェースプレートと、
一片部が前記ケースの両端部にそれぞれ固定され、他片部が前記フェースプレート側にそれぞれ突出し、移動した前記フェースプレートの端部と当接する断面Ｌ形状の一対の取付座と、
前記ケースを前記壁に固定するケース用締結具と、
前記フェースプレートの両端部で前記取付座を介して前記フェースプレートを前記ケースに取り付けるフェースプレート用締結具と、
を備えたエレベータ用操作盤。
【請求項２】
前記フェースプレート用締結具は、先端部に形成され前記フェースプレートの両端部から前記壁の面に沿ってそれぞれ対向して挿入して前記取付座の前記他片部に螺着するねじ部と、基端部に形成され前記フェースプレートの両側から挟む頭部と、を有している請求項１に記載のエレベータ用操作盤。
【請求項３】
前記ケースには、前記フェースプレートの移動方向に沿って延び、前記ケース用締結具が挿入される長穴である取付穴が形成されている請求項１または２に記載のエレベータ用操作盤。
【請求項４】
前記他片部よりも幅広の前記一片部には、前記取付座を前記ケースに取り付けるためのケース用取付穴、及び前記ケースを前記ケース用締結具を用いて前記壁に取り付けるためのケース用取付穴がそれぞれ形成されている請求項１〜３の何れか１項に記載のエレベータ用操作盤。
【請求項５】
請求項１に記載のエレベータ用操作盤をエレベータの乗場の壁に取り付けるエレベータ用操作盤の取付方法であって、
前記フェースプレート用締結具を前記取付座から取り外し、前記ケースに対して前記フェースプレートを前記フェースプレートの前記他片部に当接するまで移動させる工程と、
前記ケース用締結具を用いて、前記フェースプレートにより生じた前記ケースの前記表面側のスペースから前記壁に前記ケースを前記取付座の前記一片部を介して固定する工程と、
前記フェースプレートを先の前記移動と反対方向に移動させて元の位置に戻した後、前記フェースプレート用締結具を前記取付座の前記他片部に螺着する工程と、
を備えたエレベータ用操作盤の取付方法。
【発明の詳細な説明】
【技術分野】
【０００１】
この発明は、エレベータの乗場の壁に取り付けられるエレベータ用操作盤、及びその取付方法に関する。
【背景技術】
【０００２】
従来、エレベータ用操作盤を乗場の壁に取り付ける際に、まず表板をケースから取り外し、その後ケースを締結具で壁に取り付け、その後表示板をケースに取り付けるエレベータ用操作盤が知られている（例えば、特許文献１参照）。
【先行技術文献】
【特許文献】
【０００３】
【特許文献１】特許第３８０７８２８号公報
【発明の概要】
【発明が解決しようとする課題】
【０００４】
しかしながら、このエレベータ用操作盤の場合、作業環境の悪いエレベータの据付現場で壁に取り付ける際に、ケースから表示板を取り外し、またその後再度表示板をケースに取り付けるので、表示板がケースから離されたことに起因した作業中の表示板の疵、破損といったことが起こり易くなるという問題点があった。
【０００５】
この発明は、かかる問題点を解決することを課題とするものであって、エレベータ用操作盤を乗場の壁に取り付ける際に、フェースプレートをケースから取り外し、分離することなく取り付け作業を行うことができ、壁に取り付ける作業の際のフェースプレートの疵、破損の発生を低減させることができるエレベータ用操作盤を得ることを目的とする。
【課題を解決するための手段】
【０００６】
この発明に係るエレベータ用操作盤は、
裏面が壁に固定される矩形状のケースと、
このケースの表面を覆い、側面が摺動自在に前記ケースの側面と係合したフェースプレートと、
一片部が前記ケースの両端部にそれぞれ固定され、他片部が前記フェースプレート側にそれぞれ突出し、移動した前記フェースプレートの端部と当接する断面Ｌ形状の一対の取付座と、
前記ケースを前記壁に固定するケース用締結具と、
前記フェースプレートの両端部で前記取付座を介して前記フェースプレートを前記ケースに取り付けるフェースプレート用締結具と、
を備えている。
【０００７】
また、この発明に係るエレベータ用操作盤の取付方法は、
フェースプレート用締結具を取付座から取り外し、ケースに対してフェースプレートをフェースプレートの他片部に当接するまで移動させる工程と、
ケース用締結具を用いて、フェースプレートにより生じたケースの表面側のスペースから壁に前記ケースを前記取付座の一片部を介して固定する工程と、
前記フェースプレートを先の移動と反対方向に移動させて元の位置に戻した後、前記フェースプレート用締結具を前記取付座の他片部に螺着する工程と、
を備えている。
【発明の効果】
【０００８】
この発明に係るエレベータ用操作盤によれば、ケースに対してフェースプレートは摺動可能であり、またその移動は取付座により規制されるようになっている。
従って、エレベータ用操作盤を乗場の壁に取り付ける際に、フェースプレートをケースから取り外し、分離することなく取り付け作業を行うことができ、エレベータ用操作盤を壁に取り付ける作業の際のフェースプレートの疵、破損の発生を低減させることができる。
【０００９】
また、この発明に係るエレベータ用操作盤の取付方法によれば、記ケース用締結具を用いて、フェースプレートにより生じたケースの表面側のスペースから壁にケースを取付座の一片部を介して固定するので、エレベータ用操作盤を簡単に壁に取り付けることができる。
【図面の簡単な説明】
【００１０】
【図１】この発明の実施の形態１のエレベータ操作盤を示す正面図である。
【図２】図１の底面図である。
【図３】図１のＩＩＩ-ＩＩＩ線に沿った矢視断面図である。
【図４】図１の取付座を示す斜視図である。
【図５】図１のエレベータ操作盤の使用態様を示す正面図である。
【図６】図５のＶＩ-ＶＩ線に沿った矢視断面図である。
【図７】図１のエレベータ操作盤の別の使用態様を示す正面図である。
【図８】図７のＶＩＩＩ-ＶＩＩＩ線に沿った矢視断面図である。
【発明を実施するための形態】
【００１１】
以下、この発明の実施の形態について図に基づいて説明するが、各図において同一、または相当部材、部位については同一符号を付して説明する。
【００１２】
実施の形態１．
図１はこの発明の実施の形態１のエレベータ用操作盤を示す正面図、図２は図１の底面図、図３は図１のＩＩＩ-ＩＩＩ線に沿った矢視断面図である。
このエレベータ用操作盤は、エレベータの乗場のケーブルが通る壁穴２を有する壁１に取り付けられている。
このエレベータ用操作盤は、壁１に裏面が固定された矩形状のケース３と、ケース３の上部及び下部でＬ字形状の一片部の中央部で取付座用締結具６を用いて固定された取付座７と、ケース３の表面を覆い上部端部と下部端部の２か所で、フェースプレート用締結具５によりケース３に固定されたフェースプレート４と、このフェースプレート４の中心線に沿って２か所に嵌着された押し釦９と、押し釦９の裏面に取り付けられた基板１０と、を備えている。
【００１３】
図４は取付座７を示す斜視図であり、一片部７Ａの中央部には取付座用締結具６が螺着する第１のケース用取付穴７ａが形成され、その両側には第２のケース用取付穴７ｂがそれぞれ形成されている。取付座７の他片部７Ｂには、フェースプレート用取付穴７ｃが形成されている。第１のケース用取付穴７ａ及びフェースプレート用取付穴７ｃの内壁面には、雌ねじが形成されている。
【００１４】
フェースプレート用締結具５は、先端部にフェースプレート用取付穴７ｃに螺着するねじ部５ａ、基端部にフェースプレート４の貫通穴４ｂよりも大径の頭部５ｂが形成されている。
フェースプレート用締結具５は、フェースプレート４の上下の両端部から壁１の面に沿ってそれぞれ対向して挿入してねじ部５ａを取付座７のフェースプレート用取付穴７ｃに螺着し、頭部５ｂでフェースプレート４を両側から挟むことで、フェースプレート４は、ケース３に取り付けられる。
【００１５】
矩形状のケース３は、両側端面に上下方向の全域に延びた溝３ａが形成され、また壁穴２に対面して通線穴３ｃが形成されている。
ケース３の表面を覆ったフェースプレート４は、両側面の裏側端部に上下方向の全域に延び、溝３ａに沿って上下方向に摺動可能な突起４ａが形成されている。
【００１６】
次に、上記エレベータ用操作盤を壁１に取り付ける手順について説明する。
先ず、上下、一対のフェースプレート用締結具５をフェースプレート４から取り外し、ケース３に対してフェースプレート４を下方向に摺動させる。
フェースプレート４の壁１側に折曲した上端部が上側の取付座７の他片部に当接しており、この当接位置がフェースプレート４のケース３に対する相対移動の下限位置である。このときには、ケース３の上部の２か所に形成され上下方向に延びた長穴である取付穴３ｂが、取付座７の第２のケース用取付穴７ｂと同心で現出している。
この取付座７の第２のケース用取付穴７ｂ、取付穴３ｂを通じてケース用締結具８を壁１に締結する（図５及び図６参照）。
【００１７】
次に、ケース３に対してフェースプレート４を上方向に摺動させる。
フェースプレート４の壁１側に折曲した下端部が下側の取付座７の他片部に当接しており、この当接位置がフェースプレート４のケース３に対する相対移動の上限位置である。このときには、ケース３の下部の２か所に形成され上下方向に延びた長穴である取付穴３ｂが、取付座７の第２のケース用取付穴７ｂと同心で現出している。
この取付座７の第２のケース用取付穴７ｂ、取付穴３ｂを通じてケース用締結具８を壁１に締結する（図７及び図８参照）。
この結果、ケース用締結具８の頭部がケース３を押圧し、ケース３は、全部で４本のケース用締結具８により壁１に固定される。
最後に、フェースプレート４の上面とケース３の上面とを一致させ、上下２本のフェースプレート用締結具５の先端部のねじ部５ａを取付座７のフェースプレート用取付穴７ｃに螺着して、基端部の頭部５ｂでフェースプレート４の両側から挟んでフェースプレート４をケース３に取り付ける。
【００１８】
この実施の形態のエレベータ用操作盤によれば、ケース３に対してフェースプレート４は上下に摺動可能であり、またその移動は取付座７により規制されるようになっており、エレベータ用操作盤をエレベータの乗場の壁１に取り付ける際に、フェースプレート４をケース３から分離することなく壁１に取り付けることができる。
従って、作業環境の悪いエレベータの据付現場でエレベータ用操作盤を壁１に取り付ける際に、従来ではケース３からフェースプレート４を取り外し、フェースプレート４がケース３から離されたことに起因した作業中でのフェースプレート４、及びフェースプレート４と一体の押し釦９の疵、破損が生じたが、この実施の形態のエレベータ用操作盤では、ケース３からフェースプレート４から取り外す必要はなく、壁１に取り付ける際のフェースプレート４、押し釦９の疵、破損の発生を低減することができる。
【００１９】
また、この実施の形態のエレベータ用操作盤では、ケース３には、フェースプレート４の摺動方向に沿って延び、ケース用締結具８が挿入される長穴である取付穴３ｂが形成されているので、壁穴２に対するケース３の通線穴３ｃの位置合わせが容易である。
【００２０】
また、取付座７は、フェースプレート４の移動を規制する他片部７Ｂは、一片部７Ａよりも幅が狭いので、材料を削減することができる。
また、取付座７の一片部７Ａには、取付座７をケース３に取り付けるための第１のケース用取付穴７ａ、及びケース３をケース用締結具８を用いて壁１に取り付けるための第２のケース用取付穴７ｂがそれぞれ形成されており、取付座７は、簡単な構成で、エレベータ用操作盤の壁１に対する取付に際して、ケース３とフェースプレート４との介在部材として機能している。
【００２１】
なお、上記実施の形態では、フェースプレート４は、両側端面に突起４ａを形成し、この突起４ａに係合する溝３ａをケース３に形成したが、フェースプレートに溝を形成し、ケースに突起を形成するようにしてもよい。
また、フェースプレート４は、ケース３に対して横方向に摺動可能であってもよい。
【符号の説明】
【００２２】
１  壁、２  壁穴、３  ケース、３ａ  溝、３ｂ  取付穴、３ｃ  通線穴、４  フェースプレート、４ａ  突起、４ｂ  貫通穴、５  フェースプレート用締結具、５ａ  ねじ部、５ｂ  頭部、６  取付座用締結具、７  取付座、７ａ  第１のケース用取付穴、７ｂ  第２のケース用取付穴、７ｃ  フェースプレート用取付穴、７Ａ  一片部、７Ｂ  他片部、８  ケース用締結具、９  押し釦、１０  基板。
【図１】
2015189518.tif 000003
【図２】
2015189518.tif 000004
【図３】
2015189518.tif 000005
【図４】
2015189518.tif 000006
【図５】
2015189518.tif 000007
【図６】
2015189518.tif 000008
【図７】
2015189518.tif 000009
【図８】
2015189518.tif 000010